(57)【要約】【課題】信頼性の高いシャッター用のロック装置を提供する。【解決手段】スラットカーテン１の裏面に形成された谷筋１ａに合致する係合部４ａを有した駒体４にストッパ手段７を設ける。駒体４は、スラットカーテン１の裏面とガイド支柱２との隙間に形成されるスペースに合致する断面の金属製ブロック体で構成され、ストッパ手段７は、駒体４に設けられた係止片５とガイド支柱２に設けられた係止部６とで構成される。【選択図】    図１
2004176420.tif 000002
【特許請求の範囲】
【請求項１】
スラットカーテンの裏面に形成された谷筋に合致する係合部を有し、その係合部をスラットカーテン裏面の谷筋に係合させた状態で、ガイド支柱との隙間にて反対面がガイド支柱で支えられ、前記スラットカーテンの移動に追従して上下移動可能な駒体と、ガイド支柱に固定され、前記駒体の少なくとも上方への移動を阻止するストッパ手段とからなるシャッター用ロック装置。
【請求項２】
駒体が、スラットカーテンの裏面とガイド支柱との間に形成されるスペースに合致する断面のブロック体で構成されている請求項１に記載のシャッター用ロック装置。
【請求項３】
ストッパ手段が、駒体に設けられた係止片とガイド支柱に設けられた係止部とで構成される請求項１又は２に記載のシャッター用ロック装置。
【請求項４】
ストッパ手段に、ガイド支柱に穿設されたボルト挿通孔と、そのボルト挿通孔を貫通させて先端を駒体に形成されたボルトねじ込み孔にねじ込み可能なロックボルトとで構成される補助ロック機構を追加した請求項３に記載のシャッター用ロック装置。
【発明の詳細な説明】
【０００１】
【発明の属する技術分野】
本発明は、窓や出入り口といった開口部に設置されるシャッターを閉塞維持させるためのシャッター用ロック装置に関する。
【０００２】
【従来の技術】
シャッターは、ロール状に巻き取られたスラットカーテンの少なくとも両サイドをガイド支柱の溝でガイドさせながら引き出し、或いは押し戻しするだけで開口部を閉じたり全面をオープンにしたりでき、閉じれば鎧戸特有の威圧感によって外部からの進入を完全にシャットアウトしてしまうので、一般家庭から店舗、倉庫に至るまで広く利用されている。
そしてそのシャッターには、例えば特許文献１に開示されているように、スラットカーテン最下段の幅木に取り付けたロックバーを、カム等を介して鍵穴に差し込んだキーの回転操作等により互いに相反する水平方向へスライドさせ、ガイド支柱の係止片に係止させ施錠装置が装備されている。
【０００３】
【特許文献１】特開平９−６０３８５号公報
【０００４】
【発明が解決しようとする課題】
施錠されているシャッターは、尋常な手段では解除できない。
しかし近年は、床との隙間にバールを差し込み、そのバールをてことして力任せにこじ開け、一気に引き剥がす荒っぽい手口の倉庫荒らしが多発しており、セキュリティの強化が望まれている。
更に、重機を使ったこの手の犯罪では、従来の施錠装置などはあっけなく破壊されてひとたまりもないので、施錠したからといっても、倉庫荒らしに対してはあくまで気休め程度にすぎないというのが実情である。
【０００５】
【課題を解決するための手段】
本発明は、シャッターにとってセキュリティ機能の強化に最適なシャッター用ロック装置（以下単にロック装置という）であって、その構成は、スラットカーテンの裏面に形成された谷筋に合致する係合部を有し、その係合部をスラットカーテン裏面の谷筋に係合させた状態で、ガイド支柱との隙間にて反対面がガイド支柱で支えられ、前記スラットカーテンの移動に追従して上下移動可能な駒体と、ガイド支柱に固定され、前記駒体の少なくとも上方への移動を阻止するストッパ手段とからなることにある。
【０００６】
前記駒体は、スラットカーテンの裏面とガイド支柱との間に形成されるスペースに合致する断面のブロック体で構成することができ、ストッパ手段を、駒体に設けられた係止片とガイド支柱に設けられた係止部とで構成したり、ストッパ手段には、ガイド支柱に穿設されたボルト挿通孔と、そのボルト挿通孔を貫通させて先端を駒体に形成されたボルトねじ込み孔にねじ込み可能なロックボルトとで構成した補助ロック機構を追加することができる。
【０００７】
【発明の実施の形態】
以下に、本発明のロック装置をその実施形態について図面に基づき説明する。
図１において、１はスラットカーテン、２，２はそのスラットカーテンの左右端縁を支持するガイド支柱であり、３は前記スラットカーテン１とガイド支柱２との相互間にそれぞれセットするロック装置である。
【０００８】
ロック装置３は、スラットカーテン１の裏面に形成された谷筋１ａ，１ａ・・に合致する係合部４ａを有した駒体４と、その駒体４に取り付けられた係止片５及びガイド支柱２に設けられた係止部６との組み合わせによるストッパ手段７とにより構成されている。
【０００９】
駒体４は金属製のブロック体で、台形の底辺同士を突き合わせて底辺を除いた三辺を互いに左右対称とした六角形断面の形成され、左右いずれか一方の台形に相当する部分を係合部４ａとして機能させるものであって、他方の部分については、台形とする必要はない。
又、この駒体４には、Ｌ字状金具８が、係止片５の部分を駒体４と並行に配置して全体をコ字状とするようねじ止めされ、一方ガイド支柱２には、上端に係止部６が折り曲げ形成されたストッパプレート９がガイド支柱２の背面に密着するようねじ止めされている。
【００１０】
このように形成されたロック装置は、駒体４の係合部４ａをスラットカーテン１の（係止部が設けられる位置に対応しない）谷筋１ａにあてがったまま、ガイド支柱２におけるガイド溝２ａの内面との間に形成されるスペースまでスライドさせると、駒体４は係合部４ａがスラットカーテン１の裏面谷筋１ａに係合し、反対面がガイド支柱２で支えられた状態となるので、手を離しても脱落しないが、スラットカーテン１が昇降移動すると、その移動に追従して駒体４も上下に移動してしまう。
【００１１】
しかしこのロック装置は、係止片５と係止部６との組み合わせによるストッパ手段７を備えているので、図２に示すように、駒体４を係止部６が設けられた位置に対応した谷筋１ａを選んでセットすれば、係止片５が係止部６に係止されてストッパ機能が働く。
それによりスラットカーテン１は上昇を阻まれ、シャッターは完全にロックされる。
このロック機構でロックされたシャッターは、バールでこじ開けようとしても駒体がスラットカーテンと支柱との間に喰い込んでくさびの役割を果たし、スラットカーテンの両サイドをガイド支柱から外しにくくするのに一役買っているので、警備員や警察が駆けつけるまでの時間稼ぎにも好都合といえる。
【００１２】
従来の施錠装置は、装置の取り付け位置は予想はつくが、このロック装置は、駒体がセットされている位置はもとより駒体がセットされていることすら外部からは推測できないので、ロック装置を外すことも破壊することもできない。
係止部を設ける位置は特に定めはなく、使用者が任意に決めればよいことであって、係止部を複数箇所に設け、その中からセット位置を自由に選択できるようにしたり、複数箇所にセットしてセキュリティ性を高めることもできる。
【００１３】
それでもなお不安であるというユーザーに対しては、補助ロック機構を付加することができる。
次にその一例を説明する。
図３は図１と比較して、駒体にねじ孔１０が形成されていると共に、ストッパプレート９とＬ字状金具８とには、係止片５を貫通するボルト挿通孔１１とストッパプレート８からガイド支柱２の板面を貫通するボルト挿通孔１２とが形成されていて、付属品として握り部を有したボルト１３，１３が追加されている。
尚、その他の部材については図１と共通するので、同一の符号を付し、詳しい説明は省略する。
【００１４】
補助ロック機構を追加したロック装置は、図４に示すように、見た目にも信頼感があり、図５に示すように、駒体がボルト１３にてガイド支柱と連結されるので、ガイド支柱がスラットカーテンの補強材としての役割を果たし、高い剛性が確保できる。
【００１５】
前記実施例の駒体は金属製のブロック体で構成されているので、適度な重量と、ガイド柱との隙間に対して納まりのよい立体形状に仕上げられていてセットしやすいが、駒体４は図６の（ａ）、（ｂ）に例示するように、鋼板材１５をスラットカーテン１の谷筋１ａ内面形状に折り曲げて係合部４ａを形成し、係合部４ａの反対面が解放されたＣ状断面に形成しても差し支えなく、鋼板材を使用した場合は係止片５を駒体４と一体形成することができる。
又、ストッパ手段は実施例に限定されるものでなく、図６の（ｃ）に示すように、係止片５に切り込み溝５ａを形成し、その切り込み溝５ａとガイド支柱２の背面にねじ込まれたボルト１４とにより、操作性とストッパ機能の改善を図ったり、ガイド支柱の側面に余裕がある場合は、図示はしないが、その側面にボルトで固定したりピンを挿し込んで駒体が上下移動しないようにするなど、駒体と支柱との相互間にあって、係止、係合、掛止など、少なくとも駒体の上昇動作を阻止できる機能があればどのようにでも設計できる。
【００１６】
【発明の効果】
本発明によれば、床面との隙間にバールを差し込み、強引にこじ開ける強硬手段で攻撃されても、スラットカーテンの両端部にてしっかりとロックされるので重機で攻められても短時間であれば充分対抗できる。
又、駒体をブロック体で構成すればセットしやすいし、ストッパ手段に補助ロック機構を追加すれば、信頼性は大幅に向上する。
【図面の簡単な説明】
【図１】本発明のロック装置を示した説明図である。
【図２】ロック状態を示した説明図である。
【図３】補助ロック機構を追加した変更例の説明図である。
【図４】変更例のロック状態を示した説明図である。
【図５】ロック状態の断面説明図である。
【図６】（ａ）〜（ｃ）は駒体及びストッパ機構の変更例を示した説明図である。
【符号の説明】
１・・スラットカーテン、１ａ・・谷筋、２・・ガイド支柱、３・・ロック装置、４・・駒体、４ａ・・係合部、５・・係止片、６・・係止部、７・・ストッパ手段、８・・Ｌ字状金具、９・・ストッパプレート、１０・・ねじ孔、１１，１２・・ボルト挿通孔、１３、１４・・ボルト、１５・・鋼板材。
【図１】
2004176420.tif 000003
【図２】
2004176420.tif 000004
【図３】
2004176420.tif 000005
【図４】
2004176420.tif 000006
【図５】
2004176420.tif 000007
【図６】
2004176420.tif 000008